(57)【要約】      （修正有）【課題】組立てが容易で、ブロックの形状を多様化できる玩具ブロックを提供する。【解決手段】玩具ブロック１００に関するものであって、玩具ブロック１００は、メインボディ１１０と、メインボディ１１０内の収納空間ＳＳ１，ＳＳ２に位置し、極性が互いに異なる第１面および第２面を含む板状磁性体１２０ａ，１２０ｂと、収納空間ＳＳ１，ＳＳ２に配置され、板状磁性体１２０ａ，１２０ｂの回転をガイドするように構成されたガイド部１３０ａ，１３０ｂと、を含む。【選択図】図１
2020121098.tif 000002
【特許請求の範囲】
【請求項１】
メインボディと、
前記メインボディ内の収納空間に位置し、極性が互いに異なる第１面および第２面を含む板状磁性体と、
前記収納空間に配置され、前記板状磁性体の回転をガイドするように構成されたガイド部と、を含む玩具ブロック。
【請求項２】
前記ガイド部は、
前記板状磁性体の回転時において、前記板状磁性体の側面の回転曲面に対応するように延長されたメインガイドと、
前記ガイドの延長方向と異なる方向に延長され、延長面が前記板状磁性体の前記側面と平行なサブガイドを含む請求項１に記載の玩具ブロック。
【請求項３】
前記メインガイドおよび前記サブガイドは、互いに垂直な方向に延長される請求項２に記載の玩具ブロック。
【請求項４】
前記メインボディは、前記板状磁性体の前記第１面または前記第２面が安着するベース面を含み、
前記ガイドは、前記ベース面を基準にアーチ型に延長される請求項２に記載の玩具ブロック。
【請求項５】
前記ベース面は、前記板状磁性体の前記第１面または前記第２面の大きさに対応する請求項４に記載の玩具ブロック。
【請求項６】
前記板状磁性体の前記第１面および前記第２面は、円形である請求項１に記載の玩具ブロック。
【請求項７】
メインボディと、
前記メインボディの一側および他側にそれぞれ位置し、ベース面および前記ベース面を基準にアーチ型に延長された少なくとも１つのメインガイドをそれぞれ含むガイド部と、
前記メインガイドに沿って回転できるように構成され、両面の極性が互いに異なる板状磁性体と、を含む玩具ブロック。
【請求項８】
前記ガイド部は、前記メインガイドの延長方向と垂直な方向に延長され、延長面が前記メインガイドの延長面と連結されるサブガイドをさらに含む請求項７に記載の玩具ブロック。
【請求項９】
前記板状磁性体の前記両面は、円形である請求項７に記載の玩具ブロック。
【請求項１０】
前記板状磁性体は、結合相手玩具ブロックが接近するとき、前記結合相手玩具ブロックのベース面に安着した相手板状磁性体の一面と極性が異なる面が前記ベース面に接するように前記メインガイドに沿って回転するように構成された請求項７に記載の玩具ブロック。
【発明の詳細な説明】
【技術分野】
【０００１】
本発明は、玩具ブロックに関するものであって、組立てが容易で、様々な組立て品に適用が可能な玩具ブロックに関する。
【背景技術】
【０００２】
玩具ブロックは、様々な方式により互いに締結されるに応じて、様々な形態の構造物を形成できるブロックとして、子供たちの創造力と空間知覚能力を向上させる玩具である。
【０００３】
一般的な玩具ブロックは、多数の突起を備える上部面と前記突起が挿入されるように構成された多数の結合溝を備える下部面を含み、一玩具ブロックの上部面の突起が他の玩具ブロックの下部面の結合溝に締結されることにより、互いに結合される特徴を有する。
【０００４】
しかし、このような構造の玩具ブロックは、一定の形態の突起部と結合溝が必ず存在しなければならないため、ブロックの形状が限定的であるしかなく、球形のブロックは、構造物の組立てに使用できない短所が存在する。
【０００５】
一方、前述した玩具ブロック以外に、ブロックの外部または内部に磁性体を配置し、玩具ブロックが磁性体の磁力によって互いに結束される方式の玩具ブロックが開発された。しかし、磁性体を含む玩具ブロックは、磁性体の極性が互いに同じ場合には、玩具ブロックが互いに結合できない短所があり、磁性体の位置がずれる場合には、玩具ブロックが互いにずれるように結合される短所が存在する。
【０００６】
したがって、前述した問題点を解決するための技術が必要になった。
【０００７】
一方、前述の背景技術は、発明者が本発明の導出のために保有していたか、または本発明の導出過程で習得した技術情報であって、必ず本発明の出願の前に一般に公開された公知の技術であるとはいえない。
【発明の概要】
【発明が解決しようとする課題】
【０００８】
本発明の一実施例は、組立てが容易で、ブロックの形状を多様化できるようにすることに目的がある。
【０００９】
また、本発明の一実施例は、磁性体の動きをガイドすることにより、結合時に玩具ブロックが互いにずれる問題を最小化することに目的がある。
【課題を解決するための手段】
【００１０】
前述した技術的課題を果たすための技術的手段であって、本発明の一側面によると、玩具ブロックは、メインボディと、前記メインボディ内の収納空間に位置し、極性が互いに異なる第１面および第２面を含む板状磁性体と、前記収納空間に配置され、前記板状磁性体の回転をガイドするように構成されたガイド部と、を含む。
【００１１】
本発明の他の一側面によると、前記ガイド部は、前記板状磁性体の回転時、前記板状磁性体の側面の回転曲面に対応するように延長されたメインガイドと、前記ガイドの延長方向と異なる方向に延長され、延長面が前記板状磁性体の前記側面と平行なサブガイドを含み得る。
【００１２】
また、本発明の他の一側面によると、前記ベース面は、前記板状磁性体の前記第１面または前記第２面の大きさに対応し得る。
【００１３】
また、本発明の他の一側面によると、前記板状磁性体の前記第１面および前記第２面は、円形であり得る。
【００１４】
前述した技術的課題を果たすための技術的手段であって、本発明の他の側面によると、玩具ブロックは、メインボディと、前記メインボディの一側および他側にそれぞれ位置し、ベース面および前記ベース面を基準にアーチ型に延長された少なくとも１つのメインガイドをそれぞれ含むガイド部と、前記メインガイドに沿って回転できるように構成され、両面の極性が互いに異なる板状磁性体と、を含む。
【００１５】
本発明の他の一側面によると、前記ガイド部は、前記メインガイドの延長方向と垂直な方向に延長され、延長面が前記メインガイドの延長面と連結されるサブガイドをさらに含み得る。
【００１６】
また、本発明の他の一側面によると、前記板状磁性体の前記両面は、円形であり得る。
【００１７】
また、本発明の他の一側面によると、前記板状磁性体は、結合相手玩具ブロックが接近するとき、前記結合相手玩具ブロックのベース面に安着した相手板状磁性体の一面と極性が異なる面が前記ベース面に接するように前記メインガイドに付いて回転するように構成され得る。
【発明の効果】
【００１８】
前述の本発明の課題解決手段のうち、いずれか１つによると、玩具ブロック間の結合のために別の締結部材が備えられる必要がなく、玩具ブロックの形状が多様化できる利点がある。
【００１９】
また、本発明の課題解決手段のうち、いずれか１つによると、板状磁性体の回転がガイド部によってガイドされるため、板状磁性体がベース面に安定的に安着でき、玩具ブロックの結合時に玩具ブロックが互いにずれる問題が最小化できる。
【００２０】
本発明で得られる効果は、以上で言及した効果に制限されず、また、言及しない他の効果は、以下の記載から本発明が属する技術分野で通常の知識を有する者に明確に理解されるであろう。
【図面の簡単な説明】
【００２１】
【図１】本発明の一実施例による玩具ブロックの分解斜視図である。
【図２】図１のII−II’についての断面図である。
【図３】図１のIII−III’についての断面図である。
【図４】本発明の一実施例による玩具ブロックの使用状態図である。
【図５】図４のＶ−Ｖ’についての断面図である。
【図６】比較例による玩具ブロックの使用状態図である。
【図７】本発明の一実施例による玩具ブロックの他の使用状態図である。
【発明を実施するための形態】
【００２２】
以下では、添付した図面を参照して本発明が属する技術分野で通常の知識を有する者が容易に実施できるように本発明の実施例を具体的に説明する。しかし、本発明は、様々な異なる形態で具現され得、ここで説明する実施例に限定されない。そして、図面では本発明を明確に説明するために説明と関係ない部分は省略し、明細書の全体を通じて同様の部分については同様の図面符号を付けた。
【００２３】
明細書の全体において、ある部分が他の部分と「連結」されているというとき、これは「直接的に連結」されている場合だけではなく、その中間に他の部材または素子を挟んで「間接的に連結」されている場合も含む。また、ある部分がある構成要素を「含む」とするとき、これは特別に反対する記載がない限り、他の構成要素を除外するのではなく、他の構成要素をさらに含み得ることを意味する。
【００２４】
以下、添付された図面を参考して本発明を具体的に説明する。
【００２５】
図１は、本発明の一実施例による玩具ブロックの分解斜視図である。図２は、図１のII−II’についての断面図である。図３は、図１のIII−III’についての断面図である。
【００２６】
本発明の一実施例による玩具ブロック１００は、磁力を通じて互いに結合できる組立て玩具の構成の各片であり得る。
【００２７】
図１を参照すると、本発明の一実施例による玩具ブロック１００は、メインボディ１１０、板状磁性体１２０ａ、１２０ｂおよびガイド部１３０ａ、１３０ｂを含む。
【００２８】
メインボディ１１０は、玩具ブロック１００の外形を構成し、板状磁性体１２０ａ、１２０ｂが安着するベース面１１１、１１２を含む。
【００２９】
図１に示すように、メインボディ１１０は、多角形の断面を有する柱形で構成され得る。しかし、これに限定されるものではなく、メインボディ１１０は、円筒形、六面体、球形などの様々な形で構成され得、柱形ではなく屈曲した形、ドーナツ形状など様々に構成され得る。
【００３０】
メインボディ１１０は、成形が容易で、板状磁性体１２０ａ、１２０ｂによって磁化されない非磁性体物質で構成され得る。例えば、メインボディ１１０は、プラスチック、非磁性金属、原木などで構成され得る。
【００３１】
メインボディ１１０のベース面１１１、１１２は、板状磁性体１２０ａ、１２０ｂの第１面１２１ａまたは第２面１２２ａが安着する面であり、板状磁性体１２０ａ、１２０ｂの第１面１２１ａまたは第２面１２２ａの形状に対応する形状を有する。例えば、板状磁性体１２０ａ、１２０ｂが図１に示すように、円板型の場合には、ベース面１１１、１１２は、円形の面を有する。
【００３２】
また、ベース面１１１、１１２は、板状磁性体１２０ａ、１２０ｂの第１面１２１ａまたは第２面１２２ａの大きさに対応する大きさを有する。例えば、ベース面１１１、１１２は、板状磁性体１２０ａ、１２０ｂの第１面１２１ａまたは第２面１２２ａの大きさと実質的に同じ大きさを有する。ここで、実質的に同じ大きさは、第１面１２１ａまたは第２面１２２ａの大きさと同じか、または第１面１２１ａまたは第２面１２２ａの外周辺よりも０．５ｍｍ以内の範囲で大きい外周辺を有する形態の大きさを意味し得る。
【００３３】
図１に示すように、メインボディ１１０が柱形で構成される場合、ベース面１１１、１１２は、メインボディ１１０の一側および他側にそれぞれ配置される。
【００３４】
ベース面１１１、１１２を基準に板状磁性体１２０ａ、１２０ｂが収納される収納空間ＳＳ１、ＳＳ２が形成される。例えば、ベース面１１１の一側を基準にベース面１１１の一側を囲むように収納空間ＳＳ１が形成され、板状磁性体１２０ａが収納空間ＳＳ１に配置される。また、ベース面１１２の他側を基準にベース面１１２の他側を囲むように収納空間ＳＳ２が形成され、板状磁性体１２０ｂが収納空間ＳＳ２に配置される。収納空間ＳＳ１、ＳＳ２には、板状磁性体１２０ａ、１２０ｂが収納される。収納空間ＳＳ１、ＳＳ２は、板状磁性体１２０ａ、１２０ｂが回転するのに十分な空間を提供する。収納空間ＳＳ１、ＳＳ２の形状および配置は、玩具ブロック１００の設計に応じて自由に変更できる。
【００３５】
板状磁性体１２０ａ、１２０ｂは、玩具ブロック１００の結合のための磁力を発生させるように構成され得る。玩具ブロック１００は、板状磁性体１２０ａ、１２０ｂの磁力に基づいて他のブロックと結合できる。板状磁性体１２０ａ、１２０ｂは、永久的に磁力を有する永久磁石または電流によって誘導磁力を有する電磁石で構成され得る。
【００３６】
板状磁性体１２０ａ、１２０ｂは、収納空間ＳＳ１、ＳＳ２内に配置される。例えば、板状磁性体１２０ａは、収納空間ＳＳ１内に配置され、板状磁性体１２０ｂは、収納空間ＳＳ２内に配置され得る。この場合、収納空間ＳＳ１と収納空間ＳＳ２は、十分な距離で離隔されるので、板状磁性体１２０ａと板状磁性体１２０ｂとの間の磁力の干渉を最小化できる。
【００３７】
板状磁性体１２０ａ、１２０ｂのそれぞれは、第１面１２１ａおよび第２面１２２ａを有する。板状磁性体１２０ａ、１２０ｂの第１面１２１ａおよび第２面１２２ａは、互いに異なる極性を有する。例えば、第１面１２１ａはＮ極に、第２面１２２ａはＳ極に対応し得る。
【００３８】
図１に示すように、板状磁性体１２０ａ、１２０ｂの第１面１２１ａおよび第２面１２２ａは、円形である。しかし、これに限定されるものではなく、板状磁性体１２０ａ、１２０ｂの第１面１２１ａおよび第２面１２２ａは、多角形、台形、扇形、楕円形などの様々な形状で構成され得る。
【００３９】
ガイド部１３０ａ、１３０ｂは、メインボディ１１０の収納空間ＳＳ１、ＳＳ２に配置され、板状磁性体１２０ａ、１２０ｂの回転をガイドするように構成される。
【００４０】
ガイド部１３０ａ、１３０ｂは、メインガイド１３１ａ、１３１ｂおよびサブガイド１３２ａ、１３２ｂを含む。メインガイド１３１ａ、１３１ｂおよびサブガイド１３２ａ、１３２ｂは、収納空間ＳＳ１、ＳＳ２の内側面に沿って延長される構造で形成される。具体的には、一側のベース面１１１を囲むように収納空間ＳＳ１が形成され、収納空間ＳＳ１の内側面に沿ってメインガイド１３１ａおよびサブガイド１３２ａが延長される。また、ベース面１１２の他側を囲むように収納空間ＳＳ２が形成され、収納空間ＳＳ２の内側面に沿ってメインガイド１３１ｂおよびサブガイド１３２ｂが延長される。ガイド部１３０ａおよびガイド部１３０ｂは、配置の位置だけが異なるだけで、同じ形状および構成を有するため、以下では、図２および図３を参照して、ガイド部１３０ａを中心に説明する。
【００４１】
ガイド部１３０ａのメインガイド１３１ａは、板状磁性体１２０ａの回転時において、板状磁性体１２０ａの側面が形成する回転曲面に対応するように延長される。具体的には、図３に示すように、ガイド部１３０ａのメインガイド１３１ａは、ベース面１１１を基準にアーチ型に延長できる。この場合、メインガイド１３１ａは、図２に示すように、収納空間ＳＳ１の内側面から突出して並んで延長された複数の突起１３１ａ、１３３ａ、１３４ａで構成され得る。
【００４２】
例えば、板状磁性体１２０ａの第１面１２１ａおよび第２面１２２ａの形が円形ではない実施例の場合、板状磁性体１２０ａの回転時の側面が形成する回転曲面が異なる可能性があるため、この場合、メインガイド１３１ａの形は、図２および図３に示された形と異なるように構成され得る。
【００４３】
サブガイド１３２ａは、メインガイド１３１ａと異なる方向に延長され、板状磁性体１２０ａの側面と平行な方向に延長される。この場合、図２に示すように、サブガイド１３２ａの延長方向とメインガイド１３１ａの延長方向は、互いに垂直であり得る。サブガイド１３２ａの延長面は、メインガイド１３１ａの延長面と連結される。これにより、メインガイド１３１ａおよびサブガイド１３２ａは、段差なく互いに連結され、板状磁性体１２０ａは、メインガイド１３１ａおよびサブガイド１３２ａの延長面に沿って安定的に回転できる。
【００４４】
前述したように、本発明の一実施例による玩具ブロック１００は、収納空間ＳＳ１、ＳＳ２を含み、収納空間ＳＳ１、ＳＳ２内に配置される板状磁性体１２０ａ、１２０ｂを含む。板状磁性体１２０ａ、１２０ｂは、互いに極性が異なる第１面１２１ａおよび第２面１２２ａを含み、第１面１２１ａまたは第２面１２２ａは、ベース面１１１、１１２に安着するように構成される。板状磁性体１２０ａ、１２０ｂの磁力は、ベース面１１１、１１２を通過してメインボディ１１０の外部に伝達されるため、他の玩具ブロックとの磁力による結合が可能になる。これについては、図４および図５を参照して詳細に説明する。
【００４５】
図４は、本発明の一実施例による玩具ブロックの使用状態図である。図５は、図４のＶ−Ｖ’についての断面図である。
【００４６】
図４を参照すると、第１玩具ブロック１００は、隣接する第２玩具ブロック２００と結合できる。具体的には、第１玩具ブロック１００の一側の収納空間に配置された板状磁性体１２０ａと第２玩具ブロック２００の他側の収納空間に配置された板状磁性体２２０ａとの間の磁気的引力によって第１玩具ブロック１００が第２玩具ブロック２００と結合できる。もし、第１玩具ブロック１００の板状磁性体１２０ａの第１面１２１ａの極性と第２玩具ブロック２００の板状磁性体２２０ａの第２面２２２ａの極性が互いに異なる場合は、第１玩具ブロック１００の板状磁性体１２０ａの第１面１２１ａと第２玩具ブロック２００の板状磁性体２２０ａの第２面２２２ａとの間に磁気的引力が作用する。特に、この場合、第１玩具ブロック１００の板状磁性体１２０ａの第１面１２１ａと第２玩具ブロック２００の板状磁性体２２０ａの第２面２２２ａは、ベース面１１１、２１１に密着して互いに平行に対向することになるため、板状磁性体１２０ａ、２２０ａを通過する磁力線を極大化でき、板状磁性体１２０ａ、２２０ａの間の磁気的引力を極大化できる。これにより、第１玩具ブロック１００の上部と第２玩具ブロック２００の下部を互いに強く結合できる。
【００４７】
一方、第１玩具ブロック１００の板状磁性体１２０ａの第１面１２１ａの極性と第２玩具ブロック２００の板状磁性体２２０ａの第２面２２２ａの極性が互いに同じ場合は、第１玩具ブロック１００の板状磁性体１２０ａの第１面１２１ａと第２玩具ブロック２００の板状磁性体２２０ａの第２面２２２ａとの間には、磁気的斥力が発生し得る。この場合、第１玩具ブロック１００の板状磁性体１２０ａおよび第２玩具ブロック２００の板状磁性体２２０ａの極性が反対になるように、第１玩具ブロック１００の板状磁性体１２０ａまたは第２玩具ブロック２００の板状磁性体２２０ａが収納空間内で回転する。例えば、図５に示すように、第１玩具ブロック１００の一側の収納空間ＳＳ１内の板状磁性体１２０ａが回転して、板状磁性体１２０ａの第２面１２２ａがベース面１１１に接することができる。第１玩具ブロック１００の板状磁性体１２０ａの第２面１２２ａは、第２玩具ブロック２００の板状磁性体２２０ａの第２面２２２ａと互いに異なる極性を有するため、第１玩具ブロック１００の一端と第２玩具ブロック２００の一端との間に磁気的引力が作用し、第１玩具ブロック１００と第２玩具ブロック２００が、互いに結合できる。
【００４８】
この場合、前述したように、第１玩具ブロック１００の板状磁性体１２０ａの回転時には、第１玩具ブロック１００の収納空間ＳＳ１内に形成されたガイド部１３０ａに沿って板状磁性体１２０ａの回転がガイドされ、板状磁性体１２０ａの第１面１２１ａまたは第２面１２２ａがベース面１１１に安定的に安着できる。
【００４９】
すなわち、図５に示すように、ガイド部１３０ａのメインガイド１３１ａは、板状磁性体１２０ａ側面の回転曲面に対応するようにベース面１１１を基準にアーチ型に延長されるため、板状磁性体１２０ａは、メインガイド１３１ａの延長方向に沿って定められた空間内で回転でき、板状磁性体１２０ａの第２面１２２ａがベース面１１１に安定的に安着できる。図５では、板状磁性体１２０ａの回転する様子が点線で示されている。
【００５０】
一方、ガイド部１３０ａのサブガイド１３２ａは、板状磁性体１２０ａの側面と平行するように延長されているため、板状磁性体１２０ａの回転時において、板状磁性体１２０ａが側面方向に離脱することを抑制できる。これにより、板状磁性体１２０ａの第２面１２２ａをより安定的にベース面１１１に安着させることができる。
【００５１】
また、第２玩具ブロック２００の他側の収納空間内の板状磁性体２２０ａは、第２面２２２ａがベース面２１１に安着するように回転される。すなわち、重力によって傾いていた板状磁性体２２０ａが第１玩具ブロック１００の板状磁性体１２０ａとの磁気的引力によって回転される。図５では、板状磁性体２２０ａの回転する様子が点線で示される。この場合、第２玩具ブロック２００のメインガイド２３１ａおよびサブガイド２３２ａが板状磁性体２２０ａの回転をガイドする。これにより、板状磁性体２２０ａの第２面２２２ａは、第２玩具ブロック２００のベース面２１１に安定的に安着する。
【００５２】
結果的に、第１玩具ブロック１００および第２玩具ブロック２００が互いに近接することに応じて、第１玩具ブロック１００の板状磁性体１２０ａの第２面１２２ａがベース面１１１に安着され、第２玩具ブロック２００の板状磁性体２２０ａの第２面２２２ａがベース面２１１に安着する。この場合、第１玩具ブロック１００の板状磁性体１２０ａの第２面１２２ａは、第２玩具ブロック２００の板状磁性体２２０ａの第２面２２２ａと平行に対向することになり、第１玩具ブロック１００の板状磁性体１２０ａと第２玩具ブロック２００の板状磁性体２２０ａとの間の磁気的引力を極大化できる。したがって、第１玩具ブロック１００の一側と第２玩具ブロック２００の他側とを強く結合できる。
【００５３】
一方、メインガイド１３１ａおよびサブガイド１３２ａが存在しない場合は、板状磁性体１２０ａの回転をガイドできないため、板状磁性体１２０ａの第２面１２２ａが安定的にベース面１１１に安着できない恐れがあり、板状磁性体１２０ａの第２面１２２ａがベース面１１１にずれるように配置されるか、またはベース面１１１から離脱し得る。これについては、図６を参照して詳細に説明する。
【００５４】
図６は、比較例による玩具ブロックの使用状態図である。
【００５５】
図６を参照すると、第１玩具ブロック３００および第２玩具ブロック４００は、メインガイドおよびサブガイドを備えていない。第１玩具ブロック３００の板状磁性体３２０ａの第２面３２２ａが第２玩具ブロック４００の板状磁性体４２０ａの第２面４２２ａの極性と異なる極性を有する場合、第１玩具ブロック３００と第２玩具ブロック４００が近接するによって、第１玩具ブロック３００の板状磁性体３２０ａの第２面３２２ａと第２玩具ブロック４００の板状磁性体４２０ａの第２面４２２ａとの間には、磁気的引力が作用する。
【００５６】
しかし、第１玩具ブロック３００および第２玩具ブロック４００は、板状磁性体３２０ａ、４２０ａの回転をガイドするメインガイドおよびサブガイドを備えていないため、図６に示すように、板状磁性体３２０ａ、４２０ａは、完全に回転できない恐れがある。この場合、第１玩具ブロック３００の板状磁性体３２０ａの第２面３２２ａと第２玩具ブロック４００の板状磁性体４２０ａの第２面４２２ａは、互いに平行に対向できない恐れがあり、板状磁性体３２０ａ、４２０ａの間の磁気的引力が極大化できない恐れがある。このため、第１玩具ブロック３００と第２玩具ブロック４００は、互いに弱く結合され得る。
【００５７】
また、ガイド部を備えていない場合は、板状磁性体３２０ａ、４２０ａが、ベース面に安定的に安着できないため、第１玩具ブロック３００と第２玩具ブロック４００が互いにずれた方向に結合され得る。
【００５８】
一方、前述したように、本発明の一実施例による玩具ブロック１００、２００は、板状磁性体１２０ａ、２２０ａの回転をガイドするガイド部を含むため、板状磁性体１２０ａ、２２０ａの第１面１２１ａ、２２１ａまたは第２面１２２ａ、２２２ａは、ベース面１１１、２１１に安定的に安着でき、板状磁性体１２０ａ、２２０ａの面は、互いに平行に対向し得る。これにより、板状磁性体１２０ａ、２２０ａの間の磁力が極大化され、玩具ブロック１００、２００の結合がより容易になり得る。
【００５９】
また、本発明の一実施例による玩具ブロック１００、２００のベース面１１１、２１１は、板状磁性体１２０ａ、２２０ａの第１面１２１ａ、２２１ａまたは第２面１２２ａ、２２２ａと実質的に同じ大きさを有するため、第１面１２１ａ、２２１ａまたは第２面１２２ａ、２２２ａは、ベース面１１１、２１１を実質的にすべて覆うことができ、板状磁性体１２０ａ、２２０ａの磁力線がベース面１１１、２１１にさらに集中され得る。これにより、玩具ブロック１００、２００が互いにずれるように結合される問題をさらに抑制することができる。
【００６０】
図７は、本発明の一実施例による玩具ブロックの他の使用状態図である。
【００６１】
本発明の一実施例による玩具ブロック１００は、様々な形態の他の玩具ブロック５００とも容易に結合できる。この場合、他の玩具ブロック５００は、磁場によって磁力を有することになる磁性体で構成され得る。すなわち、永久磁石で構成された板状磁性体１２０ａを含む玩具ブロック１００が他の玩具ブロック５００に近接することに応じて、他の玩具ブロック５００は、磁性を帯びることになり、他の玩具ブロック５００の表面には、板状磁性体１２０ａの極性と異なる極性が誘導されて他の玩具ブロック５００と玩具ブロック１００が互いに結合できる。
【００６２】
特に、玩具ブロック１００と他の玩具ブロック５００は、別の締結部材なしに磁力で結合が行われるため、玩具ブロック１００の外形が多様化でき、図７に示すように、球形の他の玩具ブロック５００と柱型の玩具ブロック１００が別の締結部材なしに安定的に組立てされ得る。これにより、玩具ブロック１００を使用する使用者の創造力の向上に大きく役立つことができる。
【００６３】
前述の本発明の説明は、例示のためのものであり、本発明が属する技術分野の通常の知識を有する者は、本発明の技術的思想や必須の特徴を変更せずに、他の具体的な形で簡単に変形が可能であることを理解できるであろう。したがって、以上で記述した実施例は、すべての面で例示的なものであり、限定的ではないものと理解するべきである。例えば、単一型で説明される各構成要素は、分散して実施され得、同様に分散したものと説明される構成要素も結合された形で実施され得る。
【００６４】
本発明の範囲は、前記詳細な説明よりも後述する特許請求の範囲によって示され、特許請求の範囲の意味および範囲そしてその均等概念から導出されるすべての変更または変形された形が本発明の範囲に含まれるものと解釈されるべきである。
【符号の説明】
【００６５】
１００、２００、３００、４００：玩具ブロック
１１０：メインボディ
１１１、１１２、２１１：ベース面
１２０ａ、１２０ｂ、２２０ａ：板状磁性体
１２１ａ、２２１ａ：板状磁性体の第１面
１２２ａ、２２２ａ：板状磁性体の第２面
１３０ａ、１３０ｂ：ガイド部
１３１ａ、１３１ｂ、１３３ａ、１３４ａ、２３１ａ：メインガイド
１３２ａ、１３２ｂ、２３２ａ：サブガイド
５００：他の玩具ブロック
ＳＳ１、ＳＳ２：収納空間
【図１】
2020121098.tif 000003
【図２】
2020121098.tif 000004
【図３】
2020121098.tif 000005
【図４】
2020121098.tif 000006
【図５】
2020121098.tif 000007
【図６】
2020121098.tif 000008
【図７】
2020121098.tif 000009